(57)【特許請求の範囲】
【請求項１】
方法であって、
第１の基地局に備えられたプロセッサが、アップリンク協調マルチ・ポイント環境において、第１のモバイル・デバイスからのアップリンク信号のためのアップリンク・リソースを割り当てるために、第２の近隣の基地局と調整することと、ここで、前記割り当ては、前記第２の近隣の基地局から受信された調整スケジューリング通信に少なくとも部分的に基づき、前記調整スケジューリング通信は、前記第１の基地局および前記第２の近隣の基地局において実行されたチャネル推定にしたがって、前記第１のモバイル・デバイスと第２のモバイル・デバイスとの間の干渉を制御する、
前記プロセッサが、前記アップリンク・リソースを識別する情報を前記第１のモバイル・デバイスへシグナリングすることと、
前記プロセッサが、前記第１のモバイル・デバイスからのアップリンク信号を前記アップリンク・リソースで受信することと
を備える方法。
【請求項２】
前記プロセッサが、異なるサブフレームまたは異なるサブ帯域のうちの少なくとも一方で、前記第１のモバイル・デバイスからのアップリンク信号と、前記第２のモバイル・デバイスからの別のアップリンク信号とをスケジュールするために、前記第２の近隣の基地局と調整することをさらに備える請求項１に記載の方法。
【請求項３】
前記アップリンク信号は、サウンディング基準信号（ＳＲＳ）である、請求項１に記載の方法。
【請求項４】
前記ＳＲＳは、チャネル推定のためのアップリンク・パイロットである、請求項３に記載の方法。
【請求項５】
前記プロセッサが、前記アップリンク・リソースに応じて識別されたダウンリンク・リソースによって、前記第１のモバイル・デバイスへアクノレッジメントを送信することをさらに備え、前記ダウンリンク・リソースは、前記第２の近隣の基地局から前記第２のモバイル・デバイスへアクノレッジメントを送信するために利用される別のダウンリンク・リソースとは異なる、請求項１に記載の方法。
【請求項６】
前記第１のモバイル・デバイスへのアクノレッジメントのために使用される前記ダウンリンク・リソースは、前記第１のモバイル・デバイスによって用いられた前記アップリンク・リソースが別のアップリンク信号のために前記第２のモバイル・デバイスへ割り当てられたアップリンク・リソースと実質的に同じである場合、前記第２のモバイル・デバイスへのアクノレッジメントのために使用される前記別のダウンリンク・リソースと異なる、請求項５に記載の方法。
【請求項７】
ホッピング・ツリーが、前記アップリンク協調マルチ・ポイント環境における基地局間で定義される、請求項１に記載の方法。
【請求項８】
前記プロセッサが、前記第１のモバイル・デバイスを前記ホッピング・ツリーの第１のノードに割り当て、前記第２のモバイル・デバイスを前記ホッピング・ツリーの第２のノードに割り当てるように、前記第２の近隣の基地局と調整することをさらに備え、前記第１のノードは、前記アップリンク・リソースにマップし、前記第２のノードは、オーバラップしない別のアップリンク・リソースにマップする、請求項７に記載の方法。
【請求項９】
前記アップリンク信号はパイロットである、請求項１に記載の方法。
【請求項１０】
前記プロセッサが、前記パイロットを直交させるために、前記第１のモバイル・デバイスに、非サービス提供基地局に対応するＺａｄｏｆｆ−Ｃｈｕシーケンスを割り当てることをさらに備え、前記非サービス提供基地局は、前記第１のモバイル・デバイスに現在サービスを提供していない基地局である、請求項９に記載の方法。
【請求項１１】
前記プロセッサが、前記第１のモバイル・デバイスに、ホッピング・ツリー上のノードに対応する、前記アップリンク信号を送信するための前記アップリンク・リソースを割り当てることと、
前記プロセッサが、前記ホッピング・ツリーの識別情報と、前記ホッピング・ツリー上のノードに対応する前記アップリンク・リソースとに応じて認識されたダウンリンク・リソースによって、前記第１のモバイル・デバイスへアクノレッジメントを送信することと
をさらに備える請求項１に記載の方法。
【請求項１２】
複数のホッピング・ツリーが、前記アップリンク協調マルチ・ポイント環境における基地局間で用いられる、請求項１１に記載の方法。
【請求項１３】
別のホッピング・ツリー上のノードに対応するアップリンク・リソースが、別のアップリンク信号を送信するために前記第２のモバイル・デバイスへ割り当てられる、請求項１１に記載の方法。
【請求項１４】
前記ホッピング・ツリー上のノードと、前記別のホッピング・ツリー上のノードとが、時間にわたって実質的に同じアップリンク・リソースにマップする、請求項１３に記載の方法。
【請求項１５】
前記ホッピング・ツリー上のノードと、前記別のホッピング・ツリー上のノードとが、時間にわたって異なるアップリンク・リソースにマップする、請求項１３に記載の方法。
【請求項１６】
前記ホッピング・ツリーおよび前記別のホッピング・ツリーは、異なるホッピング・シーケンスを用いる、請求項１５に記載の方法。
【請求項１７】
前記異なるホッピング・シーケンスは、セル特有のホッピング・シーケンスまたはクラスタ・ベースのホッピング・シーケンスのうちの少なくとも１つである、請求項１６に記載の方法。
【請求項１８】
前記異なるホッピング・シーケンスはおのおの、セル特有の置換とクラスタ特有の置換とが連続したものとして定義される、請求項１６に記載の方法。
【請求項１９】
無線通信基地局装置であって、
アップリンク協調マルチ・ポイント環境において、バックホールによって近隣の基地局と調整することにより、第１のモバイル・デバイスからのアップリンク信号のためのアップリンク・リソースを割り当て、ここで、前記割り当ては、前記近隣の基地局から受信された調整スケジューリング通信に少なくとも部分的に基づき、前記調整スケジューリング通信は、前記近隣の基地局によって実行されたチャネル推定にしたがって、前記第１のモバイル・デバイスと第２のモバイル・デバイスとの間の干渉を制御する、
前記第１のモバイル・デバイスに、前記割り当てられたアップリンク・リソースを示す情報を送信し、
前記第１のモバイル・デバイスからのアップリンク信号を前記アップリンク・リソースで取得する
ように構成されたプロセッサ
を備える無線通信基地局装置。
【請求項２０】
前記アップリンク信号は、サウンディング基準信号である、請求項１９に記載の無線通信基地局装置。
【請求項２１】
前記少なくとも１つのプロセッサは、
異なるサブフレームまたは異なるサブ帯域のうちの少なくとも一方で、前記第１のモバイル・デバイスからのアップリンク信号と、前記第２のモバイル・デバイスからの別のアップリンク信号とをスケジュールするように、前記バックホールによって前記近隣の基地局と調整する
ようにさらに構成される、請求項１９に記載の無線通信基地局装置。
【請求項２２】
前記少なくとも１つのプロセッサは、
前記アップリンク・リソースに応じて識別されたダウンリンク・リソースによって、前記第１のモバイル・デバイスへアクノレッジメントを送信する
ようにさらに構成され、前記ダウンリンク・リソースは、前記近隣の基地局から前記第２のモバイル・デバイスへアクノレッジメントを送信するために利用される別のダウンリンク・リソースとは異なる、請求項１９に記載の無線通信基地局装置。
【請求項２３】
ホッピング・ツリーが、前記アップリンク協調マルチ・ポイント環境における基地局間で定義される、請求項１９に記載の無線通信基地局装置。
【請求項２４】
前記少なくとも１つのプロセッサは、
前記第１のモバイル・デバイスを前記ホッピング・ツリーの第１のノードに、前記第２のモバイル・デバイスを前記ホッピング・ツリーの第２のノードに割り当てるように、前記バックホールによって前記近隣の基地局と調整する
ようにさらに構成され、前記第１のノードは、前記アップリンク・リソースにマップし、前記第２のノードは、オーバラップしない別のアップリンク・リソースにマップする、請求項２３に記載の無線通信基地局装置。
【請求項２５】
前記少なくとも１つのプロセッサは、
前記第１のモバイル・デバイスに、ホッピング・ツリー上のノードに対応する、前記アップリンク信号を送信するための前記アップリンク・リソースを割り当て、
前記ホッピング・ツリーの識別情報と、前記ホッピング・ツリー上のノードに対応する前記アップリンク・リソースとに応じて認識されたダウンリンク・リソースによって、前記第１のモバイル・デバイスへアクノレッジメントを送信する
ようにさらに構成される、請求項１９に記載の無線通信基地局装置。
【請求項２６】
複数のホッピング・ツリーが、前記アップリンク協調マルチ・ポイント環境における基地局間で用いられる、請求項２５に記載の無線通信基地局装置。
【請求項２７】
別のホッピング・ツリー上のノードに対応するアップリンク・リソースが、別のアップリンク信号を送信するために前記第２のモバイル・デバイスへ割り当てられる、請求項２５に記載の無線通信基地局装置。
【請求項２８】
前記ホッピング・ツリー上のノードと、前記別のホッピング・ツリー上のノードとが、時間にわたってオーバラップする同じアップリンク・リソースにマップする、請求項２７に記載の無線通信基地局装置。
【請求項２９】
前記ホッピング・ツリー上のノードと、前記別のホッピング・ツリー上のノードとが、時間にわたって異なるアップリンク・リソースにマップする、請求項２７に記載の無線通信基地局装置。
【請求項３０】
基地局装置であって、
協調マルチ・ポイント環境において、第１のモバイル・デバイスに、ホッピング・ツリー上のノードに対応する、アップリンク信号を送信するためのアップリンク・リソースを割り当てるために、近隣の基地局と調整する手段と、ここで、前記割り当ては、前記近隣の基地局から受信された調整スケジューリング通信に少なくとも部分的に基づき、前記調整スケジューリング通信は、前記近隣の基地局によって実行されたチャネル推定にしたがって、前記第１のモバイル・デバイスと第２のモバイル・デバイスとの間の干渉を制御する、
前記アップリンク・リソースを示す情報を前記第１のモバイル・デバイスへシグナリングする手段と、
前記アップリンク・リソースで前記第１のモバイル・デバイスから前記アップリンク信号を受信する手段と
を備える基地局装置。
【請求項３１】
前記ホッピング・ツリーの識別情報と、前記ホッピング・ツリー上のノードに対応する前記アップリンク・リソースとに応じて認識されたダウンリンク・リソースによって、前記第１のモバイル・デバイスへアクノレッジメントを送信する手段をさらに備える、請求項３０に記載の基地局装置。
【請求項３２】
複数のホッピング・ツリーが、前記協調マルチ・ポイント環境における基地局間で用いられる、請求項３０に記載の基地局装置。
【請求項３３】
別のホッピング・ツリー上のノードに対応するアップリンク・リソースが、別のアップリンク信号を送信するために前記第２のモバイル・デバイスへ割り当てられる、請求項３０に記載の基地局装置。
【請求項３４】
前記ホッピング・ツリー上のノードと、前記別のホッピング・ツリー上のノードとが、時間にわたって実質的に同じアップリンク・リソースにマップする、請求項３３に記載の基地局装置。
【請求項３５】
前記ホッピング・ツリー上のノードと、前記別のホッピング・ツリー上のノードとが、時間にわたって異なるアップリンク・リソースにマップする、請求項３３に記載の基地局装置。
【請求項３６】
前記アップリンク信号は、サウンディング基準信号である、請求項３０に記載の基地局装置。
【請求項３７】
コンピュータ読取可能な記録媒体であって、
第１の基地局において、少なくとも１つのコンピュータに、協調マルチ・ポイント環境において、第１のモバイル・デバイスに、ホッピング・ツリー上のノードに対応する、アップリンク信号を送信するためのアップリンク・リソースを割り当てるために、第２の近隣の基地局と調整させるためのコードと、ここで、前記割り当ては、前記第２の近隣の基地局から受信された調整スケジューリング通信に少なくとも部分的に基づき、前記調整スケジューリング通信は、前記第２の近隣の基地局によって実行されたチャネル推定にしたがって、前記第１のモバイル・デバイスと第２のモバイル・デバイスとの間の干渉を制御する、
少なくとも１つのコンピュータに、前記アップリンク・リソースを識別する情報を前記第１のモバイル・デバイスへシグナリングさせるためのコードと、
少なくとも１つのコンピュータに、前記アップリンク・リソースで前記第１のモバイル・デバイスから前記アップリンク信号を受信させるためのコードと
を備えるコンピュータ読取可能な記録媒体。
【請求項３８】
少なくとも１つのコンピュータに、前記ホッピング・ツリーの識別情報と、前記ホッピング・ツリー上のノードに対応する前記アップリンク・リソースとに応じて認識されたダウンリンク・リソースによって、前記第１のモバイル・デバイスへアクノレッジメントを送信させるためのコードをさらに備える請求項３７に記載のコンピュータ読取可能な記録媒体。
【請求項３９】
複数のホッピング・ツリーが、前記協調マルチ・ポイント環境における基地局間で用いられる、請求項３７に記載のコンピュータ読取可能な記録媒体。
【請求項４０】
別のホッピング・ツリー上のノードに対応するアップリンク・リソースが、別のアップリンク信号を送信するために前記第２のモバイル・デバイスへ割り当てられる、請求項３７に記載のコンピュータ読取可能な記録媒体。
【請求項４１】
前記ホッピング・ツリー上のノードと、前記別のホッピング・ツリー上のノードとが、時間にわたって実質的に同じアップリンク・リソースにマップする、請求項４０に記載のコンピュータ読取可能な記録媒体。
【請求項４２】
前記ホッピング・ツリー上のノードと、前記別のホッピング・ツリー上のノードとが、時間にわたって異なるアップリンク・リソースにマップする、請求項４０に記載のコンピュータ読取可能な記録媒体。
【請求項４３】
前記アップリンク信号は、サウンディング基準信号である、請求項３７に記載のコンピュータ読取可能な記録媒体。
【請求項４４】
基地局装置であって、
アップリンク協調マルチ・ポイント環境において、アップリンク信号を送信するためのアップリンク・リソースを第１のモバイル・デバイスに割り当てるために、近隣の基地局と調整する、調整スケジューリング構成要素と、ここで、前記割り当ては、前記近隣の基地局から受信された調整スケジューリング通信に少なくとも部分的に基づき、前記調整スケジューリング通信は、前記近隣の基地局によって実行されたチャネル推定にしたがって、前記第１のモバイル・デバイスと第２のモバイル・デバイスとの間の干渉を制御する、
前記第１のモバイル・デバイスによって送信された前記アップリンク信号を受信する、受信構成要素と、
前記アップリンク信号に基づいてチャネル推定を実行する、チャネル推定構成要素と
を備える基地局装置。
【請求項４５】
前記アップリンク・リソースに応じて認識されたダウンリンク・リソースによって、前記第１のモバイル・デバイスへアクノレッジメントを送信するアクノレッジメント（ＡＣＫ）送信構成要素をさらに備え、前記ダウンリンク・リソースは、前記近隣の基地局から前記第２のモバイル・デバイスへアクノレッジメントを送信するために利用される別のダウンリンク・リソースとは異なる、請求項４４に記載の基地局装置。
【発明の詳細な説明】
【優先権主張】
【０００１】
本願は、本明細書において参照によって明確に組み込まれ、本願の譲受人に譲渡された、２００８年１２月８日出願の「ＬＴＥにおけるアップリンク・ネットワークＭＩＭＯをサポートするための最適化」（ＯＰＴＩＭＩＺＡＴＩＯＮＳ  ＴＯ  ＳＵＰＰＯＲＴ  ＵＰＬＩＮＫ  ＮＥＴＷＯＲＫ  ＭＩＭＯ  ＩＮ  ＬＴＥ）と題された米国仮出願６１／１２０，６５９号への優先権を主張する。
【技術分野】
【０００２】
以下の記載は、一般に、無線通信に関し、さらに詳しくは、無線通信環境において、アップリンク協調マルチ・ポイント（ＣｏＭＰ）をサポートする最適化を実施することに関する。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
従来、複数の基地局および複数のモバイル・デバイスを備えた無線通信ネットワークでは、モバイル・デバイスはおのおのの、一般に、複数の基地局のうちの特定の１つと関連付けられる。例えば、モバイル・デバイスは、信号強度、チャネル品質インジケータ（ＣＱＩ）等のようなさまざまな要因に応じて、所与の基地局と関連付けられうる。したがって、モバイル・デバイスは、所与の基地局によってサービス提供される（例えば、アップリンク送信およびダウンリンク送信が交換される）一方、近隣の他の基地局は、干渉をもたらしうる。
【０００６】
さらに、基地局間の協調が、より一般的に導入されるようになった。特に、無線通信ネットワーク内の複数の基地局が、相互に接続されうる。これによって、基地局間のデータ共有および、基地局間の通信等が可能となる。例えば、都市を横切る無線通信ネットワーク構成では、この構成に含まれる基地局は、基地局の近傍内に位置するモバイル・デバイスのセットに対してサービス提供しうる。したがって、複数のソースおよび／または宛先が、無線通信ネットワーク内のデバイス間でのデータ、制御シグナリング、および／または、その他の情報の送信および受信のための協調的なストラテジの一部として利用されうる。それぞれの送信のために複数のソースおよび／または宛先を用いることで、より高いデータ・レート、改善された信号品質、および、その他の利点がもたらされうる。例によれば、無線通信ネットワークは、ネットワーク複数入力複数出力（Ｎ−ＭＩＭＯ）システムであるか、あるいは、複数の基地局が１または複数のモバイル・デバイスと情報を交換するために協調する、協調マルチ・ポイント（ＣｏＭＰ）システムでありうる。
【０００７】
アップリンクＮ−ＭＩＭＯシステムあるいはアップリンクＣｏＭＰシステムでは、モバイル・デバイスは、複数の基地局へアップリンク信号を送信しうる。従来、モバイル・デバイスは、オーバラップするリソースのセットで、複数の基地局へそれぞれのアップリンク信号を送信するようにスケジュールされうる。したがって、アップリンク信号を送信するために共通のリソースのセットを使用する複数のモバイル・デバイスから、しばしば、高いレベルの干渉が生じる。さらに、（例えば、アップリンク信号の受信に応じて、）ダウンリンクによってモバイル・デバイスへアクノレッジメントを送信するために利用されるリソースは、一般に、モバイル・デバイスへ割り当てられアップリンク信号を送信するために適用されるリソースに対応する。したがって、従来技術は、複数のモバイル・デバイスへダウンリンクによってアクノレッジメントを送信するために利用されるものと同じリソースになりうる。アップリンク信号は、複数のモバイル・デバイスによって送信されうるので、ダウンリンクでは、複数のモバイル・デバイスへそれぞれのアクノレッジメントを、異なるリソースで送信することが望ましい。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
１または複数の実施形態および対応する開示によれば、さまざまな態様が、アップリンク協調マルチ・ポイント（ＣｏＭＰ）無線通信環境において、アップリンク信号を送信するために、モバイル・デバイスによって利用されるためのアップリンク・リソースを割り当てることを容易にすることに関連して記載される。例えば、基地局間でホッピング・ツリーが定義され、近隣の基地局が、このホッピング・ツリーから別のノードへマップされたアップリンク・リソースにおける干渉元モバイル・デバイスをスケジュールしうる。別の例によれば、アップリンクＣｏＭＰ無線通信環境において、基地局間で、複数のホッピング・ツリーが適用されうる。さらに、アップリンク・リソースに応じて識別されたダウンリンク・リソースで、モバイル・デバイスへアクノレッジメントが送信されうる。さらに、ダウンリンク・リソースは、近隣の基地局から別のモバイル・デバイスへアクノレッジメントを送信するために利用される別のダウンリンク・リソースとは異なりうる。
【００１０】
関連する態様によれば、本明細書において、方法が記載される。この方法は、アップリンク協調マルチ・ポイント環境において、モバイル・デバイスからのアップリンク信号のためのアップリンク・リソースを割り当てるために、近隣の基地局と調整することを含みうる。さらに、この方法は、アップリンク・リソースを識別する情報を、モバイル・デバイスへシグナリングすることを含みうる。さらに、この方法は、モバイル・デバイスからアップリンク信号をこのアップリンク・リソースで受信することを含みうる。
【００１１】
別の態様は、無線通信装置に関する。この無線通信装置は、少なくとも１つのプロセッサを含みうる。この少なくとも１つのプロセッサは、アップリンク協調マルチ・ポイント環境において、バックホールによって近隣の基地局と調整することによって、モバイル・デバイスからのアップリンク信号のためのアップリンク・リソースを割り当てるように構成されうる。さらに、この少なくとも１つのプロセッサは、アップリンク・リソースを、モバイル・デバイスへ割り当てられたものとして示す情報を送信するように構成されうる。さらに、この少なくとも１つのプロセッサは、モバイル・デバイスからのアップリンク信号を、このアップリンク・リソースで取得するように構成されうる。
【００１２】
また、別の態様は、装置に関連する。この装置は、協調マルチ・ポイント環境において、アップリンク信号を送信するために、ホッピング・ツリーからのノードに対応するアップリンク・リソースをモバイル・デバイスへ割り当てるために、近隣の基地局と調整する手段を含みうる。さらに、この装置は、アップリンク・リソースを示す情報を、モバイル・デバイスへシグナリングする手段を備えうる。さらに、この装置は、このアップリンク・リソースで、モバイル・デバイスから、アップリンク信号を受信する手段を含みうる。
【００１３】
また、別の態様は、コンピュータ読取可能媒体を備えうるコンピュータ・プログラム製品に関する。このコンピュータ読取可能媒体は、少なくとも１つのコンピュータに対して、協調マルチ・ポイント環境において、アップリンク信号を送信するために、ホッピング・ツリーからのノードに対応するアップリンク・リソースをモバイル・デバイスへ割り当てるために、近隣の基地局と調整させるためのコードを含みうる。さらに、このコンピュータ読取可能媒体は、少なくとも１つのコンピュータに対して、アップリンク・リソースを識別する情報を、モバイル・デバイスへシグナルさせるためのコードを含みうる。さらに、このコンピュータ読取可能媒体は、少なくとも１つのコンピュータに対して、このアップリンク・リソースで、モバイル・デバイスからアップリンク信号を受信させるためのコードを含みうる。
【００１４】
また別の態様は、協調マルチ・ポイント環境において、アップリンク信号を送信するために、モバイル・デバイスへアップリンク・リソースを割り当てるように、別の基地局と調整する、調整スケジューリング構成要素を含む装置に関連する。さらに、この装置は、モバイル・デバイスによって送信されたアップリンク信号を受信する受信構成要素を含みうる。さらに、この装置は、アップリンク信号に基づいて、チャネル推定を実行するチャネル推定構成要素を含みうる。
【００１５】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１６】
【図１】図１は、本明細書に記載されたさまざまな態様にしたがう無線通信システムの例示である。
【図２】図２は、無線通信環境において、アップリンクＣｏＭＰのためのスケジューリングを調整するシステムの例示である。
【図３】図３は、本明細書に記載されたさまざまな態様にしたがうホッピング・ツリーの例示である。
【図４】図４は、アップリンクＣｏＭＰを導入する無線通信環境において、基地局間の動作の調整、および／または、アクノレッジメントの交換を行うシステムの例示である。
【図５】図５は、アップリンクＣｏＭＰ無線通信環境において、アップリンク送信をスケジューリングすることを容易にする方法の例示である。
【図６】図６は、アップリンクＣｏＭＰ無線通信環境において、基地局間で複数のホッピング・ツリーを適用することを容易にする方法の例示である。
【図７】図７は、アップリンクＣｏＭＰ無線通信システムにおいて、アクノレッジメントを受信するモバイル・デバイスの例示である。
【図８】図８は、アップリンクＣｏＭＰ無線通信環境において、アップリンク信号をスケジューリングするシステムの例示である。
【図９】図９は、本明細書で開示されたさまざまなシステムおよび方法と共に適用されうる無線ネットワーク環境の実例である。
【図１０】図１０は、無線通信環境において、基地局間で複数のホッピング・ツリーを適用することを可能にするシステムの例示である。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１９】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末と通信するために利用することができ、アクセス・ポイント、ノードＢ、イボルブド・ノードＢ（ｅＮｏｄｅ  Ｂ、ｅＮＢ）、あるいはその他のいくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２１】
本明細書に記載された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびウルトラ・モバイル・ブロードバンド（ＵＭＢ）は、「第３世代パートナシップ計画２」（３ＧＰＰ２）と命名された機構からのドキュメントに記載される。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
図１に示すように、本明細書に記載されたさまざまな実施形態にしたがった無線通信システム１００が例示されている。無線通信システム１００は、複数のアンテナ・グループを含みうる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２５】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２７】
基地局１０２およびモバイル・デバイス１１６、１２２は、例えば、協調マルチ・ポイント（ＣｏＭＰ）環境（例えば、ネットワーク複数入力複数出力（Ｎ−ＭＩＭＯ）環境）のような協調的な無線通信環境において適用されうる。例えば、基地局１０２は、マクロ・セル基地局、ピコ・セル基地局、フェムト・セル基地局、ミクロ・セル基地局、リレー等でありうる。さらに、別の基地局（単数または複数）（図示せず）が、基地局１０２の近くに位置し、これら近隣の基地局（単数または複数）は、マクロ・セル基地局（単数または複数）、ピコ・セル基地局（単数または複数）、フェムト・セル基地局（単数または複数）、ミクロ・セル基地局（単数または複数）、リレー（単数または複数）、これらの組み合わせ等でありうる。
【００２８】
さまざまな態様によれば、モバイル・デバイス１１６、１２２はおのおの、任意の適切な数の基地局（例えば、基地局１０２、別の基地局（単数または複数））と通信しうる。例えば、モバイル・デバイス１１６、１２２はおのおの、例えば、Ｎ−ＭＩＭＯ技術、ＣｏＭＰ技術、および／または、その他の技術のような１または複数の技術を利用しうる。これによって、単一のモバイル・デバイス１１６、１２２が、複数の基地局（例えば、基地局１０２、別の基地局（単数または複数））および／またはこれらのセクタと通信できるようになる。それに加えて、あるいは、その代わりに、基地局１０２とモバイル・デバイス（例えば、モバイル・デバイス１１６、１２２のうちの１つ）との間の通信は、近隣の他の基地局および／またはモバイル・デバイスに対して強い支配的な干渉となりうる。例えば、モバイル・デバイスが、このモバイル・デバイスにサービス提供する基地局１０２に対応する有効通信範囲領域の端部に位置する場合、モバイル・デバイスとこのサービス提供基地局１０２との間の通信は、モバイル・デバイスの範囲内の１または複数の他の基地局へ干渉をもたらしうる。これによって、モバイル・デバイスは、さまざまな環境において通信できなくなる。これは例えば、モバイル・デバイスがフェムト・セル基地局の有効通信範囲領域内に位置する場合、フェムト・セル基地局を含むシステムにおいて生じうる。一方、フェムト・セル基地局は、マクロ・セル基地局の有効通信範囲領域に組み込まれる。
【００２９】
別の態様によれば、無線通信システム１００における基地局（例えば、基地局１０２や別の基地局（単数または複数））は、無線通信システム１００において、所与のモバイル・デバイス１１６、１２２との通信に関連付けられたデータ・レートを高めるために、および／または、別の基地局および／またはモバイル・デバイス１１６、１２２にもたらされた干渉を低減するために、１または複数の調整ストラテジにしたがって調整しうる。例によれば、無線通信システム１００における基地局（例えば、基地局１０２や別の基地局（単数または複数））のそれぞれのセットは、対応するモバイル・デバイス１１６、１２２によるアップリンク信号の送信のために、共同して、スケジュール決定を調整しうる。したがって、例えば、複数の基地局は、所与のモバイル・デバイス（例えば、モバイル・デバイス１１６、モバイル・デバイス１２２）へ割り当てるアップリンク・リソースを選択するために、（例えば、バックホールによって）互いに調整しうる。そして、これら複数の基地局のうちの特定の１つが、割り当てられたアップリンク・リソースを識別する情報を、所与のモバイル・デバイスへシグナルしうる。この例によれば、所与のモバイル・デバイスによって送信された、ともにスケジュールされたアップリンク信号が、複数の基地局によって受信されうる。さらに、干渉を制御するために、複数の基地局間で、スケジューリング決定が調整されうる。別の例では、スケジューリング決定をともに調整し、それぞれのモバイル・デバイス１１６、１２２からアップリンク信号を受信するように協調する基地局のような無線通信システム１００のさまざまな動作態様が、限界効用計算および／またはその他任意の適切なメトリックに少なくとも部分的に基づきうる。
【００３０】
アップリンクＣｏＭＰの利用は、モバイル・デバイス１１６、１２２に透過的でありうる。したがって、本明細書に記載されたさまざまな最適化は、基地局１０２（および他の任意の基地局（単数または複数））によってサポートされうる。
【００３１】
図２に移って、無線通信環境において、アップリンクＣｏＭＰのためのスケジューリングを調整するシステム２００が例示されている。システム２００は、基地局２０２および基地局２０４を含みうる。例えば、基地局２０２および基地局２０４は、近隣の基地局になりえる。しかしながら、権利主張された主題は、それには限定されない。基地局２０２および基地局２０４はおのおの、情報、信号、データ、命令群、指示、ビット、シンボル等を送信および／または受信しうる。基地局２０２および／または基地局２０４は、順方向リンクおよび／または逆方向リンクによって、モバイル・デバイス２０６および／またはモバイル・デバイス２０８と通信しうる。モバイル・デバイス２０６およびモバイル・デバイス２０８はおのおの、情報、信号、データ、命令群、指示、ビット、シンボル等を送信および／または受信しうる。さらに、図示していないが、基地局２０２および基地局２０４に類似の任意の数の基地局が、システム２００に含まれるか、および／または、モバイル・デバイス２０６およびモバイル・デバイス２０８に類似の任意の数のモバイル・デバイスが、システム２００に含まれうることが考慮される。さらに、基地局２０２および基地局２０４は、おのおの、任意のタイプの基地局（例えば、フェムト・セル基地局、ピコ・セル基地局、ミクロ・セル基地局、マクロ・セル基地局）でありうることが考慮される。
【００３２】
基地局２０２は、調整スケジューリング構成要素２１０、受信構成要素２１２、およびチャネル推定構成要素２１４を含みうる。同様に、基地局２０４は、調整スケジューリング構成要素２１６、受信構成要素２１８、およびチャネル推定構成要素２２０を含みうる。さらに、モバイル・デバイス２０６は、割当認識構成要素２２２および送信構成要素２２４を含みうる。同様に、モバイル・デバイス２０８は、割当認識構成要素２２６および送信構成要素２２８を含みうる。
【００３３】
調整スケジューリング構成要素２１０および調整スケジューリング構成要素２１６は、それぞれのアップリンク信号を送信することに関連する利用のために、モバイル・デバイス２０６および／またはモバイル・デバイス２０８へリソースを割り当てうる。例えば、割り当てられたリソースによって送信されたそれぞれのアップリンク信号は、サウンディング基準信号（ＳＲＳ）でありうる。この例によれば、ＳＲＳは、アップリンク・パイロットとして使用されうる。さらに、ＳＲＳは、チャネル推定のために適用されうる。別の例示によれば、それぞれのアップリンク信号は、アップリンク制御チャネルによって送信されうる。例えば、アップリンク制御チャネルは、物理ランダム・アクセス・チャネル（ＰＲＡＣＨ）、ＳＲＳ、物理アップリンク制御チャネル（ＰＵＣＣＨ）（例えば、ＰＵＣＣＨは、チャネル品質インジケータ（ＣＱＩ）、アクノレッジメント、スケジューリング要求等を伝送するために利用されうる）等でありうる。
【００３４】
調整スケジューリング構成要素２１０および調整スケジューリング構成要素２１６は、それぞれのアップリンク信号（例えば、それぞれのＳＲＳ）を送信するために導入されるべきそれぞれのリソースをモバイル・デバイス２０６およびモバイル・デバイス２０８へ割り当てるように（例えば、バックホールによって）協調しうる。例えば、調整スケジューリング構成要素２１０は、モバイル・デバイス２０６によって利用されるべきリソースを示す割当を（例えば、ダウンリンクによって）送信しうる。そして、調整スケジューリング構成要素２１６は、モバイル・デバイス２０８によって利用されるべきリソースを示す割当を（例えば、ダウンリンクによって）送信しうる。しかしながら、権利主張される主題はそれに限定されない（例えば、調整スケジューリング構成要素２１０が、モバイル・デバイス２０６およびモバイル・デバイス２０８へ割当を送信し、調整スケジューリング構成要素２１６が、モバイル・デバイス２０６およびモバイル・デバイス２０８へ割当を送信しうる）ことが認識されるべきである。割当認識構成要素２２２は、アップリンク信号（例えば、ＳＲＳ）を送信するために利用されるべきモバイル・デバイス２０６へ割り当てられるリソースを検出しうる。例えば、割当認識構成要素２２２は、基地局２０２から受信した割当から割り当てられたリソースを検出しうる。さらに、送信構成要素２２４は、検出されたリソースを利用するモバイル・デバイス２０６からアップリンク信号（例えば、ＳＲＳ）を送信しうる。同様に、割当認識構成要素２２６は、アップリンク信号（例えば、ＳＲＳ）を送信するために適用されるべきモバイル・デバイス２０８へ割り当てられるリソースを識別しうる。例によれば、割当認識構成要素２２６は、基地局２０４から受信した割当から割り当てられたリソースを識別しうる。さらに、送信構成要素２２４は、識別されたリソースを適用するモバイル・デバイス２０８から、アップリンク信号（例えば、ＳＲＳ）を送信しうる。
【００３５】
受信構成要素２１２は、モバイル・デバイス２０６によって送信されたアップリンク信号、および／または、モバイル・デバイス２０８によって送信されたアップリンク信号を取得しうる。同様に、受信構成要素２１８は、モバイル・デバイス２０８によって送信されたアップリンク信号、および／または、モバイル・デバイス２０６によって送信されたアップリンク信号を取得しうる。したがって、モバイル・デバイス２０６によって送信されたアップリンク信号、および／または、モバイル・デバイス２０８によって送信されたアップリンク信号は、アップリンクＣｏＭＰ環境において複数のポイントにおいて（例えば、複数の基地局２０２−２０４によって）受信されうる。しかし、権利主張される主題は、それに限定されないことが認識されるべきである。
【００３６】
さらに、チャネル推定構成要素２１４および／またはチャネル推定構成要素２２０は、取得されたアップリンク信号（単数または複数）（例えば、ＳＲＳ）に基づいて、チャネル推定を実行しうる。例によれば、調整スケジューリング構成要素２１０および調整スケジューリング構成要素２１６は、チャネル推定構成要素２１４および／またはチャネル推定構成要素２２０によって生成されたチャネル推定品質を改善するために、異なるサブフレームおよび／またはサブ帯域における干渉元モバイル・デバイス（例えば、モバイル・デバイス２０６およびモバイル・デバイス２０８）のアップリンク信号（例えば、それぞれのＳＲＳ）の送信をスケジュールしうる。この例によれば、共通のホッピング・ツリーが、基地局間で定義されうる（例えば、セル間で定義されうる）。したがって、基地局２０２および基地局２０４は、リソースを割り当てるために、共通のホッピング・ツリーを利用しうる。さらに、調整スケジューリング構成要素２１０および調整スケジューリング構成要素２１６は、モバイル・デバイス２０６およびモバイル・デバイス２０８を、共通のホッピング・ツリー上の別のノードに割り当てるように協調しうる。したがって、共通のホッピング・ツリー上に別のノードが割り当てられることによって、モバイル・デバイス２０６およびモバイル・デバイス２０８は、それぞれのアップリンク信号（例えば、それぞれのＳＲＳ）を送信するために別のリソースを利用しうる。
【００３７】
別の例によれば、異なるホッピング・ツリーが、システム２００内の利用のために定義されうる。ホッピング・ツリーのノードは、対応するリソースにマップしうる（例えば、おのおののノードは、所与の期間の間、リソース・ブロック（ＲＢ）のセットにマップしうる）。したがって、調整スケジューリング構成要素２１０および／または調整スケジューリング構成要素２１６は、モバイル・デバイス２０６を、第１のホッピング・ツリー上の特定のノードに割り当て、モバイル・デバイス２０８を、第２のホッピング・ツリー上の特定のノードに割り当てる。例によれば、モバイル・デバイス２０６およびモバイル・デバイス２０８が割り当てられるそれぞれのノードは、時間にわたって同じリソース（例えば、同じホッピング・シーケンス）にリンクされ、これによって、アップリンク信号が、時間にわたって、モバイル・デバイス２０６およびモバイル・デバイス２０８によって、同じリソースで送信されうる。この例によれば、モバイル・デバイス２０６およびモバイル・デバイス２０８は、時間にわたってともにホップするようにスケジュールされうる。別の例によれば、モバイル・デバイス２０６およびモバイル・デバイス２０８が割り当てられるそれぞれのノードは、時間にわたって異なるリソース（例えば、異なるホッピング・シーケンス）へリンクされ、もって、モバイル・デバイス２０６およびモバイル・デバイス２０８によって送信されるアップリンク信号間の干渉がランダム化されうる。このような例によれば、モバイル・デバイス２０６およびモバイル・デバイス２０８は、時間にわたって、互いにランダムにホップしうる。
【００３８】
本明細書に記載された例の多くは、ホッピング・ツリー（例えば、チャネル・ツリー）の利用に関連するが、任意のマッピング手順が、添付された特許請求の範囲のスコープ内に入るように意図されていることが認識されるべきである。例えば、権利主張される主題に関連して導入されうるマッピング手順の別の例は、ビット・マッピングであるが、しかしながら、権利主張された主題は、それには限定されない。
【００３９】
図３に移って、ホッピング・ツリー３００の例が示される。ホッピング・ツリー３００は、ＣｏＭＰをサポートする無線通信環境内のアップリンクにおけるリソースを割り当てることに関連する基地局（例えば、図２の基地局２０２、図２の基地局２０４）によって利用されうる。ホッピング・ツリー３００のノードは、所与の時間において、対応するＲＢのセットにマップしうる。
【００４０】
図示されるように、ホッピング・ツリー３００は、１６のベース・ノード３０２−３３２を含みうる。しかしながら、権利主張される主題に関して導入されるホッピング・ツリーは、実質的に任意の数のベース・ノードを含みうるか、および／または、図３に図示される構造に限定されないことが認識されるべきである。
【００４１】
ベース・ノード３０２−３３２はおのおの、所与の時間において、それぞれのＲＢのセットにマップしうる。さらに、異なる時間またはフレームにおいて、ベース・ノード３０２−３３２は、周波数ホッピングを提供するために、それぞれ異なるＲＢのセットにマップしうる。さらに、ＲＢのセットは、オーバラップすることができない。したがって、ベース・ノード３０２−３３２は、直交的にマップし、これによって、（例えば、ベース・ノード３０２−３２２からの）２つのベース・ノードが、同時に同じ物理リソースへマップしないようになる（例えば、ＲＢは、所与の時間において、ベース・ノード３０２−３２２からの複数のノードにはマップされない）。
【００４２】
ホッピング・ツリー３００内のおのおののノードは、チャネル識別子（ＩＤ）に関連付けられうる。ノードがモバイル・デバイスに割り当てられた場合、このようなノードのチャネルＩＤは、モバイル・デバイスに伝えられうる。モバイル・デバイスは、ホッピング・ツリー３００からの１または複数のノードを割り当てられうる。例えば、モバイル・デバイスが、ベース・ノード３０２に対応する割当を送られた場合、モバイル・デバイスは、ベース・ノード３０２に関連する対応するＲＢのセットを利用してアップリンク信号（例えば、ＳＲＳ）を送信しうる。別の例示によれば、モバイル・デバイスは、より高いレベルのノードを割り当てられうる。この例によれば、モバイル・デバイスがノード３３４に割り当てられた場合、モバイル・デバイスは、ベース・ノード３０２およびベース・ノード３０４に関連する対応するＲＢのセットを適用してアップリンク信号（例えば、ＳＲＳ）を送信しうる。さらに、権利主張される主題は、前述の例に限定されないことが考慮される。
【００４３】
例によれば、ホッピング・ツリー３００は、アップリンクＣｏＭＰを導入する無線通信環境において、基地局間で定義されうる（例えば、セル間で定義されうる）。この例によれば、近隣の基地局は、干渉元のモバイル・デバイスを識別するために協調しうる。さらに、干渉元のモバイル・デバイスは、ホッピング・ツリー３００上の別のノードに割り当てられうる。したがって、干渉元のモバイル・デバイスは、それぞれのアップリンク信号（例えば、それぞれのＳＲＳ）を送信する場合、異なるＲＢのセットを利用しうる。別の例によれば、レガシー・モバイル・デバイス（単数または複数）（例えば、レガシー・ユーザ（単数または複数））が、ＳＲＳについて１つのサブフレームでスケジュールされうる一方、非レガシー・モバイル・デバイス（単数または複数）（例えば、非レガシー・ユーザ（単数または複数））の場合、偽のセルＩＤベースのホッピングがサポートされうる。さらに、上述したことは、時分割デュプレクス（ＴＤＤ）におけるダウンリンクでの使用のために拡張されうることが考慮される。しかしながら、権利主張される主題は、それに限定されない。
【００４４】
別の例によれば、アップリンクＣｏＭＰ無線通信環境において複数のホッピング・ツリーが定義され、（例えば、複数のセルのような）複数の基地局によって使用されうる。ここで、複数のホッピング・ツリーは、ホッピング・ツリー３００に類似しうる。例示目的のために、２つのホッピング・ツリーが、２つの基地局によって適用される場合が考慮される。しかし、このような例は、別の数のホッピング・ツリー、および／または、別の数の基地局に拡張されうることが考慮される。さらに、２つの基地局は、第１のモバイル・デバイスを、第１のホッピング・ツリーからのノードに割り当て、第２のモバイル・デバイスを、第２のホッピング・ツリーからのノードに割り当てるように協調する。第１のモバイル・デバイスに割り当てられた第１のホッピング・ツリーからのノードと、第２のモバイル・デバイスに割り当てられた第２のホッピング・ツリーからのノードは、同じ物理リソース（例えば、共通のＲＢのセット）、または、異なる物理リソース（例えば、異なるＲＢのセット）にマップしうることが考慮される。したがって、異なるサービス提供基地局を持つ複数のモバイル・デバイスは、同じ物理リソースまたは異なる物理リソースが割り当てられうる。
【００４５】
前述した例によれば、複数のホッピング・ツリーはおのおの、全体的に同じ帯域幅にマップしうる。例えば、無線通信環境における使用のために１０ＭＨｚの帯域幅が利用可能である場合、複数のホッピング・ツリーはおのおの、同じ１０ＭＨｚから、対応するＲＢのセットへノードをマップしうる。
【００４６】
さらに、２つのホッピング・ツリーが導入される例によれば、第１のホッピング・ツリーにおけるノード０に対応するＲＢのセットは、時間にわたって、第２のホッピング・ツリーにおけるノード０に対応するＲＢのセットと同じでありうる（例えば、２つの並行したホッピング・ツリーが定義されうる）。例えば、第１の基地局によってチャネルＩＤ  ０を割り当てられた（例えば、第１のホッピング・ツリーからのノード０に関連付けられた）モバイル・デバイスは、第２の基地局によってチャネルＩＤ  ０を割り当てられた（例えば、第２のホッピング・ツリーからのノード０に関連付けられた）別のモバイル・デバイスと衝突しうる。したがって、異なるセルにおいてスケジュールされたモバイル・デバイスは、このようなシナリオの下で共にホップしうる。
【００４７】
２つのホッピング・ツリーが使用される別の例によれば、第１のホッピング・ツリー上のノード０に対応するＲＢのセットは、第１の期間中、第２のホッピング・ツリー上のノード１に対応するＲＢのセットに類似しうる。さらに、第２の期間中、第１のホッピング・ツリー上のノード０に対応するＲＢのセットは、第２のホッピング・ツリー上のノード３に対応するＲＢのセットに類似しうる等である。したがって、ホッピング・ツリーは、干渉をランダム化するために、異なるホッピング・シーケンスを実施しうる。したがって、異なるセルでスケジュールされたモバイル・デバイスは、互いに関してランダムにホップしうる。
【００４８】
図４を参照して、アップリンクＣｏＭＰを導入する無線通信環境において、基地局間の動作を調整し、アクノレッジメントを交換するシステム４００が例示されている。システム４００は、複数の基地局（例えば、基地局２０２および基地局２０４）と、複数のモバイル・デバイス（例えば、モバイル・デバイス２０６およびモバイル・デバイス２０８）とを含む。本明細書に記載されるように、基地局２０２は、調整スケジュール構成要素２１０、受信構成要素２１２、およびチャネル推定構成要素２１４を含み、同様に、基地局２０４は、調整スケジュール構成要素２１６、受信構成要素２１８、およびチャネル推定構成要素２２０を含みうる。さらに、モバイル・デバイス２０６は、割当認識構成要素２２２および送信構成要素２２４を含み、モバイル・デバイス２０８は、割当認識構成要素２２６および送信構成要素２２８を含みうる。
【００４９】
基地局２０２および基地局２０４（および／または任意の他の基地局（単数または複数））は、モバイル・デバイス２０６およびモバイル・デバイス２０８（および／または、任意の他のモバイル・デバイス（単数または複数））との通信のための協調ストラテジを生成する動作を調整しうる。このため、基地局２０２は、協調構成要素４０２を含み、基地局２０４は、協調構成要素４０４を含みうる。協調構成要素４０２および協調構成要素４０４は、１または複数の協調技術を有効にするために、基地局２０２および基地局２０４の動作を調整しうる。例えば、協調技術が導入され、これによって、モバイル・デバイス２０６および／またはモバイル・デバイス２０８は、基地局２０２および基地局２０４によって協調的にサービス提供される。したがって、協調構成要素４０２および協調構成要素４０４によって管理されるような仮想的なＭＩＭＯが実行され、基地局２０２および基地局２０４を１つの基地局として効率的に取り扱う。しかしながら、権利主張される主題は、それに限定されないことが認識されるべきである。
【００５０】
協調構成要素４０２および協調構成要素４０４によってサポートされる協調ストラテジによって、基地局２０２および基地局２０４は、ともに、リソース、アンテナ等をプールすることができる。さらに、このような協調ストラテジは、共通の協調ストラテジに含まれる基地局２０２および基地局２０４（例えば、協調スケジューリング構成要素２１０および協調スケジューリング構成要素２１６）によって取り扱われる共同スケジューリングを考慮しうる。さらに、共通の協調ストラテジにおいて、基地局２０２と基地局２０４との間で情報が共有されうる。例えば、共有される情報は、（例えば、共通の協調ストラテジにおける基地局（単数または複数）とモバイル・デバイス（単数または複数）との間のチャネル（単数または複数）に関する）チャネル情報、（例えば、共通の協調ストラテジにおけるモバイル・デバイス２０６および／またはモバイル・デバイス２０８から受信した）パケット等を含みうる。したがって、基地局２０２および基地局２０４は、互いに協調しうる。しかし、基地局２０２および基地局２０４は、異なる協調ストラテジに含まれる基地局と協調する必要はない。
【００５１】
協調構成要素４０２および協調構成要素４０４（および／または調整スケジューリング構成要素２１０および調整スケジューリング構成要素２１６）は、システム４００内の基地局２０２、基地局２０４、モバイル・デバイス２０６、および／または、モバイル・デバイス２０８（および／または、他の任意の基地局（単数または複数）および／またはモバイル・デバイス（単数または複数））間のそれぞれの送信を調整しうる。一般に、協調構成要素４０２および協調構成要素４０４は、基地局２０２および基地局２０４それぞれによって利用され、ノード・クラスタリング、スケジューリング等に関連するスケジュール決定の計算および／または実行を行う。これらの目的のために、協調構成要素４０２および協調構成要素４０４は、モバイル・デバイス２０６および／またはモバイル・デバイス２０８との通信のために利用されるべき各ノードをスケジュールし、モバイル・デバイス２０６およびモバイル・デバイス２０８との通信を実施するための協調形態を決定する等を行いうる。
【００５２】
さまざまな態様によれば、例えば、モバイル・デバイス・モビリティ、モバイル・デバイス２０６および／またはモバイル・デバイス２０８に関連付けられたキャリア対干渉（Ｃ／Ｉ）レベル、基地局２０２と基地局２０４（および／または、任意の他の基地局（単数または複数））の間のバックホール・リンクの機能に基づいて、協調構成要素４０２および協調構成要素４０４によって、協調ストラテジが選択されうる。他の態様によれば、それぞれのモバイル・デバイス（例えば、モバイル・デバイス２０６、モバイル・デバイス２０８、別のモバイル・デバイス（単数または複数））に関連付けられた計画されたレートは、それぞれの協調技術を選択するために、例えばバックホール帯域幅、レイテンシ制約等のような要因とともに利用されうる。
【００５３】
さらに、基地局２０２は、アクノレッジメント（ＡＣＫ）送信構成要素４０６を含み、同様に、基地局２０４は、ＡＣＫ送信構成要素４０８を含みうる。ＡＣＫ送信構成要素４０６およびＡＣＫ送信構成要素４０８によって、ダウンリンクで、アクノレッジメントが、モバイル・デバイス２０６およびモバイル・デバイス２０８へ送信されるようになる。さらに、モバイル・デバイス２０６は、ＡＣＫ受信構成要素４１０を含み、モバイル・デバイス２０８は、ＡＣＫ受信構成要素４１２を含みうる。ＡＣＫ受信構成要素４１０は、ダウンリンクでモバイル・デバイス２０６のために送られたアクノレッジメントを認識および取得し、ＡＣＫ受信構成要素４１２は、ダウンリンクでモバイル・デバイス２０８のために送られたアクノレッジメントを認識および取得しうる。
【００５４】
ＡＣＫ送信構成要素４０６およびＡＣＫ送信構成要素４０８は、それぞれのアクノレッジメントを送るために利用するために、ダウンリンクにおけるリソースを選択しうる。さらに、ＡＣＫ受信構成要素４１０は、モバイル・デバイス２０６のアクノレッジメントが伝送されるダウンリンクにおけるリソースを識別し、ＡＣＫ受信構成要素４１２は、モバイル・デバイス２０８のアクノレッジメントが伝送されるダウンリンクにおけるリソースを識別しうる。したがって、アクノレッジメントを送信するために適用されるダウンリンク上のリソースは、アクノレッジメントが応答するアップリンク信号のための割当にリンクされうる。さらに詳しくは、アクノレッジメントのために利用されるリソースは、ホッピング・ツリーや、（例えば、調整スケジューリング構成要素２１０および／または調整スケジューリング構成要素２１６によって提供される）アップリンク信号のために割り当てられたホッピング・ツリーからのノードにマップされうる。したがって、追加ビット（単数または複数）が、割当の識別情報に導入されうる。ここで、追加ビット（単数または複数）は、アップリンク信号のために割り当てられたノードを含む対応するホッピング・ツリーに関連しうる。追加ビット（単数または複数）は、このようなモバイル・デバイスが、それぞれのアップリンク信号を送信するために、同じ物理リソースに割り当てられているか、別の物理リソースに割り当てられているかに関わらず、モバイル・デバイスを区別することができる。例によれば、チャネルＩＤは、ホッピング・ツリーを示す追加ビット（単数または複数）を含みうる。このホッピング・ツリーは、アップリンク信号が同じアップリンク・リソースで送信されたか、別のアップリンク信号で送信されたかに関わらず、モバイル・デバイス２０６およびモバイル・デバイス２０８によって送信されたアップリンク信号を個別にアクノレッジすることができる。
【００５５】
調整スケジューリング構成要素２１０および調整スケジューリング構成要素２１６は、第１のホッピング・ツリーからのノードをモバイル・デバイス２０６へ割り当て、第２のホッピング・ツリーからのノードをモバイル・デバイス２０８へ割り当てるように協調しうる。モバイル・デバイス２０６およびモバイル・デバイス２０８は、それぞれ割り当てられたノードに関連付けられた対応するリソースを認識しうる。したがって、モバイル・デバイス２０６（例えば、送信構成要素２２４）は、第１のホッピング・ツリーから割り当てられたノードに対応するリソースで、アップリンク信号（例えば、ＳＲＳ）を送信し、モバイル・デバイス２０８（例えば、送信構成要素２２８）は、第２のホッピング・ツリーから割り当てられたノードに対応するリソースで、アップリンク信号（例えば、ＳＲＳ）を送信しうる。さらに、モバイル・デバイス２０６およびモバイル・デバイス２０８が、それぞれのアップリンク信号を、同じリソースで送信するか、あるいは別のリソースで送信するかに関わらず、個別のアクノレッジメントがダウンリンクで送信されうる。
【００５６】
例によれば、第１のホッピング・ツリーからのノードと、第２のホッピング・ツリーからのノードとは、時間にわたって同じ物理リソースにマップしうる（例えば、モバイル・デバイス２０６およびモバイル・デバイス２０８は、時間にわたってともにホップしうる）。例えば、異なるサービス提供基地局（例えば、基地局２０２および基地局２０４）を持つモバイル・デバイス（例えば、モバイル・デバイス２０６およびモバイル・デバイス２０８）は、マルチ・ユーザＭＩＭＯ（ＭＵ−ＭＩＭＯ）を用いて同じリソースが割り当てられうる。これは、両方の基地局（例えば、基地局２０２と基地局２０４、両セル）との明示的なホッピング・モード（例えば、ディセーブルされたセル・ベースのホッピング）を使用することによって有効とされうる。さらに、アクノレッジメント目的のために、ＡＣＫ送信構成要素４０６およびＡＣＫ送信構成要素４０８によって送信されたアクノレッジメントは、モバイル・デバイス２０６およびモバイル・デバイス２０８にそれぞれ割り当てられたリソースにリンクされうる。割り当てられたノードは、同じ物理リソースにマップしうるが、モバイル・デバイス２０６およびモバイル・デバイス２０８は、前述した例における異なるホッピング・ツリーから割り当てられたノードであるので、割当が識別されうる。したがって、（例えば、ＡＣＫ送信構成要素４０６および／またはＡＣＫ送信構成要素４０８によって送信され、ＡＣＫ送信構成要素４１０および／またはＡＣＫ送信構成要素４１２によって取得されるような）アクノレッジメントをダウンリンクで交換するために、異なるリソースが利用されうる。
【００５７】
別の例によれば、第１のホッピング・ツリーからのノードと、第２のホッピング・ツリーからのノードとが、時間によって異なる物理リソースにマップしうる。したがって、モバイル・デバイス２０６およびモバイル・デバイス２０８からのアップリンク信号の送信に関連付けられた（例えば、ＭＵ−ＭＩＭＯのための）周波数ダイバーシティが生成されうる。このような周波数ダイバーシティを提供するために、さまざまなホッピング・スキームが実施されうる。ホッピング・スキームの例は、セル特有のホッピング、クラスタ・ベースのホッピング、サブ帯域ホッピング等をともなう暗黙的なホッピング・モードを含みうる。例えば、異なるホッピング・シーケンスが、（例えば、ＣｏＭＰクラスタのように、基地局のセットおよびモバイル・デバイスのセットを含む）クラスタのアイデンティティおよび／またはセルＩＤに基づいて定義されうる。さらに、（例えば、ＡＣＫ送信構成要素４０６および／またはＡＣＫ送信構成要素４０８によって送信され、ＡＣＫ受信構成要素４１０および／またはＡＣＫ受信構成要素４１２によって取得される）アクノレッジメントをダウンリンクによって交換するために適用されるリソースが、（例えば、割り当てられたホッピング・ツリー、および、割り当てられたホッピング・ツリーからのノードに関連する）アップリンク信号のために割り当てられたそれぞれの物理リソースにリンクされうる。
【００５８】
例示によれば、ＣｏＭＰセル（例えば、基地局２０２、基地局２０４）は、クラスタにグループ化されうる。クラスタ間での調整が欠けている間、特定のクラスタ内で調整がイネーブルされうる。例として、クラスタは、相互接続された遠隔ラジオ・ヘッド（ＲＲＨ）のセットでありうる。さらに、ホッピング・シーケンスが、セル特有の置換とクラスタ特有の（例えば、クラスタ内の基地局間で共通の）置換とが連続したもの（例えば、プロダクト）として定義されうる。クラスタ特有の置換は、異なるクラスタ間で異なる。さらに、セル特有の置換は、所与のクラスタについて（例えば、共通のホッピングについて）同じであるか、あるいは、（例えば、独立したホッピングついて）ランダム化されうる。
【００５９】
他の態様によれば、専用基準信号（ＤＲＳ）が（例えば、基地局２０２、基地局２０４に対応する）サービス提供セルＩＤに基づいてチャネル化されると、パイロットは直交化されない。したがって、基地局２０２および基地局２０４（例えば、受信セル）は、（例えば、チャネル推定構成要素２１４およびチャネル推定構成要素２２０によって生成された）チャネル推定信号対雑音比（ＳＮＲ）を改善するために、パイロット干渉除去を使用しうる。さらに、異なるホッピング・ツリーを利用することによって、異なるパイロット・オフセットの適用できるようになる。例えば、パイロット・オフセットは、ホッピング・ツリーにリンクされうる（例えば、第１のホッピング・ツリーが、パイロット・オフセット０に関連付けられ、第２のホッピング・ツリーが、パイロット・オフセット１に関連付けられうる）。パイロット・オフセットは、時間または周波数において直交するパイロット・パターンを生成するように設計されうる。したがって、（アップリンクＣｏＭＰに関連付けられた）マルチ・セル送信のコンテキストでは、セル間での（例えば、基地局間での）直交性を与えるために、互いに直交する異なるパイロット・オフセットが導入されうる。これは、一般に、従来技術を適用する場合には存在しない。別の例によれば、直交パイロットは、下位互換性のない場合にＺａｄｏｆｆ−Ｃｈｕシーケンスを実施することによって取得されうる（例えば、モバイル・デバイス２０６またはモバイル・デバイス２０８は、非サービス提供セルに対応するＺａｄｏｆｆ−Ｃｈｕシーケンスを割り当てられうる）（例えば、Ｚａｄｏｆｆ−Ｃｈｕシーケンスは、Ｃｈｕシーケンスとも称されうる）。しかしながら、権利主張された主題は、それには限定されない。
【００６０】
図５および図６を参照して、無線通信環境においてアップリンクＣｏＭＰを高めることに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６１】
図５に移って、アップリンクＣｏＭＰ無線通信環境においてアップリンク送信をスケジュールすることを容易にする方法５００が例示される。５０２では、アップリンク協調マルチ・ポイント（ＣｏＭＰ）環境において、近隣の基地局との調整が有効とされ、モバイル・デバイスから、アップリンク信号のためのアップリンク・リソースが割り当てられうる。例によれば、近隣の基地局との調整が導入され、モバイル・デバイスからのアップリンク信号、および、異なるサブフレームまたはサブ帯域における干渉元のモバイル・デバイスからの別のアップリンク信号がスケジュールされうる。しかしながら、権利主張された主題は、それには限定されない。５０４では、アップリンク・リソースを識別する情報が、モバイル・デバイスへシグナルされうる。
【００６２】
５０６では、アップリンク信号が、アップリンク・リソースで、モバイル・デバイスから受信されうる。例えば、アップリンク信号は、サウンディング基準信号（ＳＲＳ）でありうる。さらに、ＳＲＳは、アップリンク・パイロットでありうる。したがって、ＳＲＳは、チャネル推定のために評価されうる。
【００６３】
例によれば、アップリンク・リソースに応じて識別されたダウンリンク・リソースによって、モバイル・デバイスへアクノレッジメントが送信されうる。ここでは、ダウンリンク・リソースは、近隣の基地局から別のモバイル・デバイスへアクノレッジメントを送信するために利用される他のダウンリンク・リソースとは異なりうる。したがって、モバイル・デバイスによって適用されるアップリンク・リソースが、別のアップリンク信号のために別のモバイル・デバイスへ割り当てられたアップリンク・リソースと実質的に類似していようか、あるいは、異なっていようかに関わらず、モバイル・デバイスのためのアクノレッジメントのために使用されるダウンリンク・リソースは、別のモバイル・デバイスのためのアクノレッジメントのために使用される別のダウンリンク・リソースとは異なる。
【００６４】
別の例によれば、ホッピング・ツリーが、アップリンクＣｏＭＰ環境における基地局間で定義されうる。例えば、モバイル・デバイスおよび別のモバイル・デバイスは、互いに干渉するものとして識別されうる。この例によれば、近隣の基地局との調整が有効とされ、モバイル・デバイスが、ホッピング・ツリーの第１のノードへ、別のモバイル・デバイスが、ホッピング・ツリーの第２のノードへと割り当てられる。ここで、第１のノードは、アップリンク・リソースにマップし、第２のノードは、オーバラップしない別のアップリンク・リソースにマップしうる。しかしながら、権利主張される主題は、前述の例に限定されないことが認識されるべきである。
【００６５】
別の例によれば、アップリンク信号はパイロットでありうる。この例によれば、パイロット干渉除去が実施され、チャネル推定ＳＮＲが改善されうる。さらに、直交パイロットが、アップリンクＣｏＭＰ環境で利用されうる。したがって、例えば、基地局間の直交性が、Ｚａｄｏｆｆ−Ｃｈｕシーケンスを用いうることにより得られる。したがって、パイロットを直交化するために、非サービス提供基地局（例えば、非サービス提供セル）に対応するＺａｄｏｆｆ−Ｃｈｕシーケンスがモバイル・デバイスに割り当てられうる。しかし、権利主張される主題は、それに限定されないことが考慮される。
【００６６】
図６を参照して、アップリンクＣｏＭＰ無線通信環境において、基地局間で複数のホッピング・ツリーを適用することを容易にする方法６００が例示される。６０２では、協調マルチ・ポイント（ＣｏＭＰ）環境において、近隣の基地局との協調が有効とされ、アップリンク信号を送信するために、ホッピング・ツリーからのノードに対応するアップリンク・リソースが、モバイル・デバイスへ割り当てられうる。さらに、別のホッピング・ツリーからのノードに対応するアップリンク・リソースが、別のアップリンク信号を送信するために、別のモバイル・デバイスへ割り当てられうる。例によれば、ホッピング・ツリーからのノードと、別のホッピング・ツリーからのノードとが、時間にわたって実質的に同じアップリンク・リソースへマップしうる。この例によれば、ホッピング・ツリーおよび別のホッピング・ツリーによって、モバイル・デバイスおよび別のモバイル・デバイスは、ともにホップできるようになる。別の例によれば、ホッピング・ツリーからのノードと、別のホッピング・ツリーからのノードとは、時間にわたって異なるアップリンク・リソースにマップしうる。この例によれば、ホッピング・ツリーおよび別のホッピング・ツリーによって、異なるホッピング・シーケンスが利用されうる。例えば、セル特有のホッピング・シーケンス、クラスタ・ベースのホッピング・シーケンス等が利用されうる。別の例によれば、異なるホッピング・シーケンスはおのおの、セル特有の置換（例えば、セル特有のホッピング・シーケンス）とクラスタ特有の置換（例えば、クラスタ・ベースのホッピング・シーケンス）とが連続したもの（例えば、プロダクト）として定義されうる。しかし、権利主張される主題は、それに限定されないことが考慮される。
【００６７】
６０４では、アップリンク・リソースを示す情報が、モバイル・デバイスにシグナルされうる。６０６では、アップリンク信号が、アップリンク・リソースでモバイル・デバイスから受信されうる。例えば、アップリンク信号は、ＳＲＳでありうる。これは、チャネル推定のためのアップリンク・パイロットとして利用されうる。
【００６８】
６０８では、ホッピング・ツリーの識別情報に応じて認識されたダウンリンク・リソースによって、および、ホッピング・ツリーからのノードに対応するアップリンク・リソースによって、アクノレッジメントがモバイル・デバイスへ送信されうる。例えば、ＣｏＭＰ環境において２つのホッピング・ツリーが適用される場合、ホッピング・ツリーの識別情報を示す追加ビットが、チャネル識別子に含まれうる。ここで、ダウンリンク・リソースは、追加ビットを持つチャネル識別子に応じうる。しかしながら、権利主張される主題は、それに限定されない。したがって、ホッピング・ツリーからのノードに対応するアップリンク・リソース、および、別のホッピング・ツリーからのノードに対応するアップリンク・リソースが、時間にわたって実質的に同じである（例えば、ともにホップする）か、異なっているか（例えば、ランダムにホップする）に関わらず、モバイル・デバイスのためのアクノレッジメントのために使用されるダウンリンク・リソースは、別のモバイル・デバイスのためのアクノレッジメントのために使用される別のダウンリンク・リソースとは異なる。
【００６９】
本明細書に記載された１または複数の態様によれば、推論がなされ、アップリンクＣｏＭＰ無線通信環境において、アップリンク・リソースの割当、および／または、アクノレッジメントの区別がなされうる。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７０】
例によれば、上述した１または複数の方法は、アクノレッジメントのためのダウンリンク・リソースを決定することに関して、推論を行うことを含みうる。さらなる例示によれば、ＣｏＭＰ環境において適用するために、モバイル・デバイスへ割り当てるためのアップリンク・リソースを識別することに関連して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００７１】
図７は、アップリンクＣｏＭＰ無線通信システムにおいて、アクノレッジメントを受信するモバイル・デバイス７００の実例である。モバイル・デバイス７００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機７０２を備える。受信機７０２は、例えばＭＭＳＥ受信機であり、受信したシンボルを復調し、それらをチャネル推定のためにプロセッサ７０６へ送る復調器７０４を備えうる。プロセッサ７０６は、受信機７０２によって受信された情報の分析、および／または、送信機７１６（例えば、図２の送信構成要素２２４、図２の送信構成要素２２４）による送信のための情報の生成に特化されたプロセッサ、モバイル・デバイス７００の１または複数の構成要素を制御するプロセッサ、および／または、受信機７０２によって受信された情報を分析し、送信機７１６による送信のための情報を生成し、モバイル・デバイス７００の１または複数の構成要素を制御するプロセッサでありうる。
【００７２】
モバイル・デバイス７００はさらに、プロセッサ７０６に動作可能に接続されたメモリ７０８を備えうる。メモリ７０８は、送信されうるデータ、受信されたデータ、および、本明細書に記載されたさまざまな動作および機能を実行することに関連するその他任意の適切な情報を格納しうる。メモリ７０８、例えば、アップリンク信号の送信のためにモバイル・デバイス７００へ割り当てられたアップリンク・リソースを識別することと、アクノレッジメントが送信されうるダウンリンク・リソースを認識することと、アクノレッジメントを検出するためのダウンリンク/リソースをモニタすること等に関連付けられたプロトコルおよび／またはアルゴリズムを格納しうる。
【００７３】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００７４】
プロセッサ７０６は、割当認識構成要素７１０および／またはＡＣＫ受信構成要素７１２に動作可能に接続されうる。割当認識構成要素７１０は、図２の割当認識構成要素２２２、および／または、図２の割当認識構成要素２２６に実質的に類似しうる。さらに、ＡＣＫ受信構成要素７１２は、図４のＡＣＫ受信構成要素４１０、および／または、図４のＡＣＫ受信構成要素４１２に実質的に類似しうる。割当認識構成要素７１０は、割当を取得し、アップリンク信号（例えば、ＳＲＳ）を送信するために、モバイル・デバイス７００に割り当てられたアップリンク・リソースを検出しうる。さらに、アップリンク・リソースは、このようなアップリンク信号を（例えば、送信機７１６によって）送信するために使用されうる。アップリンク信号を送信することに応じて、ＡＣＫ受信構成要素７１２は、アクノレッジメントを送信するために利用されうるダウンリンク・リソースを認識し、アクノレッジメントのためのダウンリンク・リソースをモニタしうる。モバイル・デバイス７００はさらに、変調器７１４と、データ、信号等を基地局へ送信する送信機７１６とを備えうる。プロセッサ７０６と別に示されているが、割当認識構成要素７１０、ＡＣＫ受信構成要素７１２、および／または、変調器７１４は、プロセッサ７０６または多くのプロセッサ（図示せず）の一部でありうることが認識されるべきである。
【００７５】
図８は、アップリンクＣｏＭＰ無線通信環境において、アップリンク信号をスケジュールするシステム８００の例示である。システム８００は、複数の受信アンテナ８０６によって１または複数のモバイル・デバイス８０４から信号（単数または複数）を受信する受信機８１０（例えば、図２の受信構成要素２１２、図２の受信構成要素２１８）と、送信アンテナ８０８によって１または複数のモバイル・デバイス８０４へ送信する送信機８２４とを有する、基地局８０２（例えば、アクセス・ポイント）を備える。さらに、基地局８０２は、１または複数の他の基地局からの、複数の受信アンテナ８０６を介した信号（単数または複数）を、受信機８１０を用いて受信し、および／または、送信機８２４を用いて、送信アンテナ８０８を介して、１または複数の別の基地局へ送信しうる。別の例示によれば、基地局８０２は、１または複数の他の基地局と、バックホールによって、信号（単数または複数）の（例えば、受信機８１０を用いた）受信および／または（例えば、送信機８２４を用いた）送信を行いうる。受信機８１０は、受信アンテナ８０６から情報を受信する。さらに、受信した情報を復調する復調器８１２と動作可能に関連付けられている。復調されたシンボルは、図７に関して上述されたプロセッサに類似しうるプロセッサ８１４によって分析される。プロセッサ８１４は、モバイル・デバイス（単数または複数）８０４および／または他の基地局（単数または複数）との間で送受信されるデータ、および／または、本明細書に記載されたさまざまな動作および機能を実行することに関連するその他任意の適切な情報を格納するメモリ８１６に接続されている。プロセッサ８１４はさらに、調整スケジューリング構成要素８１８および／またはＡＣＫ送信構成要素８２０に接続される。調整スケジューリング構成要素８１８は、図２の調整スケジューリング構成要素２１０、および／または、図２の調整スケジューリング構成要素２１６に実質的に類似しうる。さらに、ＡＣＫ送信構成要素８２０は、図４のＡＣＫ送信構成要素４０６、および／または、図４のＡＣＫ送信構成要素４０８に実質的に類似しうる。調整スケジューリング構成要素８１８によって、（例えば、ＳＲＳ（単数または複数）のような）アップリンク信号（単数または複数）を送信することに関連して利用するためのアップリンク・リソースを、１または複数のモバイル・デバイス８０４へ割り当てるために、他の基地局（単数または複数）と調整することが可能となる。さらに、ＡＣＫ送信構成要素８２０は、アップリンク信号（単数または複数）を受信することに応答して、１または複数のモバイル・デバイス８０４へアクノレッジメントを送信するために利用するダウンリンク・リソースを識別しうる。さらに、ＡＣＫ送信構成要素８２０は、このようなアクノレッジメントを送信しうる。さらに、図示していないが、基地局８０２はさらに、（例えば、図２のチャネル推定構成要素２１４、および／または、図２のチャネル推定構成要素２２０に実質的に類似した）チャネル推定構成要素、および／または、（例えば、図４の協調構成要素４０２、および／または、図４の協調構成要素４０４に実質的に類似した）協調構成要素を含みうることが認識されるべきである。基地局８０２はさらに、変調器８２２を含みうる。変調器８２２は、前述した記載にしたがって、送信機８２４によってアンテナ８０８を介してモバイル・デバイス（単数または複数）８０４へ送信されるフレームを多重化しうる。プロセッサ８１４と別に示されているが、調整スケジューリング構成要素８１８、ＡＣＫ送信構成要素８２０、および／または、変調器８２２は、プロセッサ８１４または多くのプロセッサ（図示せず）の一部でありうることが認識されるべきである。
【００７６】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、無線通信を容易にするために、本明細書に記載されたシステム（図１−２、４、７−８、１０）および／または方法（図５−６）を適用しうることが認識されるべきである。
【００７７】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符号化スキームに基づいて符号化し、インタリーブして、符号化されたデータを提供する。
【００７８】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。メモリ９３２は、プロセッサ９３０、あるいは、基地局９１０のその他の構成要素によって使用されるプログラム・コード、データ、およびその他の情報を格納しうる。
【００７９】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００８０】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００８１】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８２】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００８３】
プロセッサ９７０は、上述したように、どの事前符号化行列を使用するのかを定期的に決定する。さらに、プロセッサ９７０は、行列インデクス部およびランク値部を備えた逆方向リンク・メッセージを規定することができる。
【００８４】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００８５】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージが抽出される。さらに、プロセッサ９３０は、ビームフォーミング重みを決定するためにどの事前符号化行列を使用するかを決定するために、この抽出されたメッセージを処理する。
【００８６】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００８７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【００８８】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８９】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９０】
図１０を参照して、無線通信環境において、基地局間で複数のホッピング・ツリーを適用することを可能にするシステム１０００が例示されている。例えば、システム１０００は、基地局内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、協調マルチ・ポイント環境において、アップリンク信号を送信するために、ホッピング・ツリーからのノードに対応するアップリンク・リソースを、モバイル・デバイスへ割り当てるために、近隣の基地局と協調するための電子構成要素１００４を含みうる。さらに、論理グループ１００２は、モバイル・デバイスへアップリンク・リソースを示す情報をシグナルするための電子構成要素１００６を含みうる。さらに、論理グループ１００２は、アップリンク・リソースでモバイル・デバイスからアップリング信号を受信するための電子構成要素１００８を含みうる。論理グループ１００２はまた、オプションとして、ホッピング・ツリーの識別情報、および、ホッピング・ツリーからのノードに対応するアップリンク・リソース、に応じて認識されたダウンリンク・リソースでモバイル・デバイスへアクノレッジメントを送信するための電子構成要素１０１０を含みうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００９１】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９２】
さらに、本明細書に開示された態様に関して記述された方法またはアルゴリズムのステップおよび／または動作は、ハードウェアによって直接的に、プロセッサによって実行されるソフトウェア・モジュールで、あるいは、これら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【００９３】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００９４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
なお、以下に、出願当初の特許請求の範囲に記載された発明を付記する。
［発明１］方法であって、
アップリンク調整されたマルチ・ポイント環境において、モバイル・デバイスからのアップリンク信号のためのアップリンク・リソースを割り当てるために、近隣の基地局と調整することと、
前記アップリンク・リソースを識別する情報を、前記モバイル・デバイスへシグナリングすることと、
前記モバイル・デバイスから前記アップリンク信号を前記アップリンク・リソースで受信することと
を備える方法。
［発明２］前記モバイル・デバイスからのアップリンク信号と、別のサブフレームまたは別のサブ帯域のうちの少なくとも１つにおける干渉元のモバイル・デバイスからの別のアップリンク信号とを、前記近隣の基地局と調整することをさらに備える発明１に記載の方法。
［発明３］前記アップリンク信号は、サウンディング基準信号（ＳＲＳ）である発明１に記載の方法。
［発明４］前記ＳＲＳは、チャネル推定のために評価されたアップリンク・パイロットである発明３に記載の方法。
［発明５］前記アップリンク・リソースに応じて識別されたダウンリンク・リソースによって、前記モバイル・デバイスへアクノレッジメントを送信することをさらに備え、
前記ダウンリンク・リソースは、前記近隣の基地局から、別の基地局へアクノレッジメントを送信するために利用される別のダウンリンク・リソースとは異なる発明１に記載の方法。
［発明６］前記モバイル・デバイスによって適用されるアップリンク・リソースが、別のアップリンク信号のために別のモバイル・デバイスへ割り当てられたアップリンク・リソースと実質的に同じである場合、前記モバイル・デバイスのためのアクノレッジメントのために使用されるダウンリンク・リソースは、前記別のモバイル・デバイスのためのアクノレッジメントのために使用される別のダウンリンク・リソースとは異なる発明５に記載の方法。
［発明７］前記アップリンク調整されたマルチ・ポイント環境における基地局間でホッピング・ツリーが定義される発明１に記載の方法。
［発明８］前記モバイル・デバイスおよび別のモバイル・デバイスを、互いに干渉しているものとして識別することと、
前記モバイル・デバイスを、前記ホッピング・ツリーの第１のノードに割り当て、前記別のモバイル・デバイスを、前記ホッピング・ツリーの第２のノードに割り当てるように、前記近隣の基地局と調整することとをさらに備え、
前記第１のノードは、前記アップリンク・リソースにマップし、前記第２のノードは、オーバラップしない別のアップリンク・リソースにマップする発明７に記載の方法。
［発明９］前記アップリンク信号はパイロットである発明１に記載の方法。
［発明１０］前記パイロットを直交させるために、非サービス提供基地局に対応するＺａｄｏｆｆ−Ｃｈｕシーケンスを非サービス提供基地局へ割り当てることをさらに備える発明９に記載の方法。
［発明１１］前記アップリンク信号を送信するために、ホッピング・ツリーからのノードに対応するアップリンク・リソースを、前記モバイル・デバイスへ割り当てることと、
前記ホッピング・ツリーの識別情報、および、前記ホッピング・ツリーからのノードに対応するアップリンク・リソース、に応じて認識されたダウンリンク・リソースによって、前記モバイル・デバイスへアクノレッジメントを送信することと
をさらに備える発明１に記載の方法。
［発明１２］前記アップリンク調整されたマルチ・ポイント環境において、基地局間で、複数のホッピング・ツリーが適用される発明１１に記載の方法。
［発明１３］別のアップリンク信号を送信するために、別のホッピング・ツリーからのノードに対応するアップリンク・リソースが、別のモバイル・デバイスへ割り当てられる発明１１に記載の方法。
［発明１４］前記ホッピング・ツリーからのノードと、前記別のホッピング・ツリーからのノードとが、時間にわたって実質的に同じアップリンク・リソースにマップする発明１３に記載の方法。
［発明１５］前記ホッピング・ツリーからのノードと、前記別のホッピング・ツリーからのノードとが、時間にわたって異なるアップリンク・リソースにマップする発明１３に記載の方法。
［発明１６］前記ホッピング・ツリーおよび前記別のホッピング・ツリーは、異なるホッピング・シーケンスを用いる発明１５に記載の方法。
［発明１７］前記異なるホッピング・シーケンスは、セル特有のホッピング・シーケンスまたはクラスタ・ベースのホッピング・シーケンスのうちの少なくとも１つである発明１６に記載の方法。
［発明１８］前記異なるホッピング・シーケンスはおのおの、セル特有の置換およびクラスタ特有の置換のシリーズとして定義される発明１６に記載の方法。
［発明１９］無線通信装置であって、
アップリンク調整されたマルチ・ポイント環境において、バックホールによって近隣の基地局と調整することによって、モバイル・デバイスからのアップリンク信号のためのアップリンク・リソースを割り当て、
前記アップリンク・リソースを、前記モバイル・デバイスへ割り当てられたものとして示す情報を送信し、
前記モバイル・デバイスからのアップリンク信号を、前記アップリンク・リソースで取得する
ように構成されたプロセッサを備える無線通信装置。
［発明２０］前記アップリンク信号は、サウンディング基準信号（ＳＲＳ）である発明１９に記載の無線通信装置。
［発明２１］前記モバイル・デバイスからのアップリンク信号と、別のサブフレームまたは別のサブ帯域のうちの少なくとも１つにおける干渉元のモバイル・デバイスからの別のアップリンク信号とをスケジュールするために、前記バックホールで、前記近隣の基地局と調整するように構成された少なくとも１つのプロセッサをさらに備える発明１９に記載の無線通信装置。
［発明２２］前記アップリンク・リソースに応じて識別されたダウンリンク・リソースによって、前記モバイル・デバイスへアクノレッジメントを送信するように構成された少なくとも１つのプロセッサをさらに備え、
前記ダウンリンク・リソースは、前記近隣の基地局から別のモバイル・デバイスへアクノレッジメントを送信するために利用される別のダウンリンク・リソースとは異なる発明１９に記載の無線通信装置。
［発明２３］前記アップリンク調整されたマルチ・ポイント環境における基地局間でホッピング・ツリーが定義される発明１９に記載の無線通信装置。
［発明２４］前記モバイル・デバイスを、前記ホッピング・ツリーの第１のノードに、別のモバイル・デバイスを、前記ホッピング・ツリーの第２のノードに割り当てるために、前記バックホールによって、前記近隣の基地局と調整するように構成された少なくとも１つのプロセッサをさらに備え、
前記第１のノードは、前記アップリンク・リソースにマップし、前記第２のノードは、オーバラップしない別のアップリンク・リソースにマップする発明２３に記載の無線通信装置。
［発明２５］前記アップリンク信号を送信するために、ホッピング・ツリーからのノードに対応するアップリンク・リソースを、前記モバイル・デバイスへ割り当て、
前記ホッピング・ツリーの識別情報、および、前記ホッピング・ツリーからのノードに対応するアップリンク・リソース、に応じて識別されたダウンリンク・リソースによって、前記モバイル・デバイスへアクノレッジメントを送信する
ように構成された少なくとも１つのプロセッサをさらに備える発明１９に記載の無線通信装置。
［発明２６］前記アップリンク調整されたマルチ・ポイント環境において、基地局間で、複数のホッピング・ツリーが適用される発明２５に記載の無線通信装置。
［発明２７］別のアップリンク信号を送信するために、別のホッピング・ツリーからのノードに対応するアップリンク・リソースが、別のモバイル・デバイスへ割り当てられる発明２５に記載の無線通信装置。
［発明２８］前記ホッピング・ツリーからのノードと、前記別のホッピング・ツリーからのノードとが、時間にわたって実質的に同じアップリンク・リソースにマップする発明２７に記載の無線通信装置。
［発明２９］前記ホッピング・ツリーからのノードと、前記別のホッピング・ツリーからのノードとが、時間にわたって異なるアップリンク・リソースにマップする発明２７に記載の無線通信装置。
［発明３０］装置であって、
調整されたマルチ・ポイント環境において、アップリンク信号を送信するために、ホッピング・ツリーからのノードに対応するアップリンク・リソースをモバイル・デバイスへ割り当てるために、近隣の基地局と調整する手段と、
前記アップリンク・リソースを示す情報を、前記モバイル・デバイスへシグナリングする手段と、
前記アップリンク・リソースで、前記モバイル・デバイスから、前記アップリンク信号を受信する手段と
を備える装置。
［発明３１］前記ホッピング・ツリーの識別情報、および、前記ホッピング・ツリーからのノードに対応するアップリンク・リソース、に応じて識別されたダウンリンク・リソースによって、前記モバイル・デバイスへアクノレッジメントを送信する手段をさらに備える発明３０に記載の装置。
［発明３２］前記調整されたマルチ・ポイント環境において、基地局間で複数のホッピング・ツリーが適用される発明３０に記載の装置。
［発明３３］別のアップリンク信号を送信するために、別のホッピング・ツリーからのノードに対応するアップリンク・リソースが、別のモバイル・デバイスへ割り当てられる発明３０に記載の装置。
［発明３４］前記ホッピング・ツリーからのノードと、前記別のホッピング・ツリーからのノードとが、時間にわたって実質的に同じアップリンク・リソースにマップする発明３３に記載の装置。
［発明３５］前記ホッピング・ツリーからのノードと、前記別のホッピング・ツリーからのノードとが、時間にわたって異なるアップリンク・リソースにマップする発明３３に記載の装置。
［発明３６］前記アップリンク信号は、サウンディング基準信号である発明３０に記載の装置。
［発明３７］コンピュータ読取可能媒体を備えるコンピュータ・プログラム製品であって、
前記コンピュータ読取可能媒体は、
少なくとも１つのコンピュータに対して、調整されたマルチ・ポイント環境において、アップリンク信号を送信するために、ホッピング・ツリーからのノードに対応するアップリンク・リソースをモバイル・デバイスへ割り当てるために、近隣の基地局と調整させるためのコードと、
少なくとも１つのコンピュータに対して、前記アップリンク・リソースを識別する情報を、前記モバイル・デバイスへシグナルさせるためのコードと、
少なくとも１つのコンピュータに対して、前記アップリンク・リソースで、前記モバイル・デバイスからアップリンク信号を受信させるためのコードと
を備えるコンピュータ・プログラム製品。
［発明３８］前記コンピュータ読取可能媒体はさらに、少なくとも１つのコンピュータに対して、前記ホッピング・ツリーの識別情報、および、前記ホッピング・ツリーからのノードに対応するアップリンク・リソース、に応じて識別されたダウンリンク・リソースによって、前記モバイル・デバイスへアクノレッジメントを送信させるためのコードを備える発明３７に記載のコンピュータ・プログラム製品。
［発明３９］前記調整されたマルチ・ポイント環境において、基地局間で複数のホッピング・ツリーが適用される発明３７に記載のコンピュータ・プログラム製品。
［発明４０］別のアップリンク信号を送信するために、別のホッピング・ツリーからのノードに対応するアップリンク・リソースが、別のモバイル・デバイスへ割り当てられる発明３７に記載のコンピュータ・プログラム製品。
［発明４１］前記ホッピング・ツリーからのノードと、前記別のホッピング・ツリーからのノードとが、時間にわたって実質的に同じアップリンク・リソースにマップする発明４０に記載のコンピュータ・プログラム製品。
［発明４２］前記ホッピング・ツリーからのノードと、前記別のホッピング・ツリーからのノードとが、時間にわたって異なるアップリンク・リソースにマップする発明４０に記載のコンピュータ・プログラム製品。
［発明４３］前記アップリンク信号は、サウンディング基準信号である発明３７に記載のコンピュータ・プログラム製品。
［発明４４］装置であって、
調整されたマルチ・ポイント環境において、アップリンク信号を送信するために、モバイル・デバイスへアップリンク・リソースを割り当てるように、他の基地局と調整する、調整スケジューリング構成要素と、
前記モバイル・デバイスによって送信されたアップリンク信号を受信する受信構成要素と、
前記アップリンク信号に基づいて、チャネル推定を実行するチャネル推定構成要素とを備える装置。
［発明４５］前記アップリンク・リソースに応じて識別されたダウンリンク・リソースによって、前記モバイル・デバイスへアクノレッジメントを送信するアクノレッジメント（ＡＣＫ）送信構成要素をさらに備え、
前記ダウンリンク・リソースは、前記別の基地局から別のモバイル・デバイスへアクノレッジメントを送信するために利用される別のダウンリンク・リソースとは異なる発明４４に記載の装置。
【図１】
0005539383.tif 000002
【図２】
0005539383.tif 000003
【図３】
0005539383.tif 000004
【図４】
0005539383.tif 000005
【図５】
0005539383.tif 000006
【図６】
0005539383.tif 000007
【図７】
0005539383.tif 000008
【図８】
0005539383.tif 000009
【図９】
0005539383.tif 000010
【図１０】
0005539383.tif 000011